(57)【特許請求の範囲】
【請求項１】
互いに異なる複数の機能の各々に対応して設定された画面のうちの１つが出力手段に表示された状態で切換操作することにより前記出力手段に表示された画面に対応する機能とは異なる他の機能に対応した画面に切り替える画面操作装置であって、
操作面上での操作体の位置を検出する検出手段と、
前記複数の機能のうちの１つで且つ前記複数の機能のうちの１つを選択するための機能に対応して設定された第１画面中に、前記第１画面に表示した機能とは異なる他の機能に属する１乃至複数の機能切換部が表示された状態で前記第１画面を前記出力手段に表示させると共に、前記検出手段が検出した前記操作面上での前記操作体の位置が前記機能切換部に対応した場合に当該機能切換部の表示が属する機能に基づいた第２画面を前記出力手段に表示させる制御部と、
を備え、更に、
前記制御部は、前記第２画面表示状態で前記他の機能に属する１乃至複数の選択部を表示させると共に、前記第２画面切換直後の状態で第２画面表示直前に前記第１画面表示中に選択した前記機能切換部に対応した位置の選択部を選択状態とする画面操作装置。
【請求項２】
前記制御部は、前記第２画面を前記出力手段に表示させた状態で前記検出手段が前記操作体を検出しなかった場合に、前記第１画面を出力手段に表示させることを特徴とする請求項１記載の画面操作装置。
【請求項３】
前記制御部は、前記第２画面に切り換えられた直後に選択状態となる前記選択部に対応した表示を前記機能切換部に表示することを特徴とする請求項１記載の画面操作装置。
【発明の詳細な説明】
【０００１】
【発明の属する技術分野】
本発明は、例えば、モニタテレビに表示される画面の切り換え等を行う画面操作装置に関する。
【０００２】
【従来の技術】
近年、車両に搭載されるカーナビゲーション装置、オーディオ装置、空調装置等の各種装置の操作を行うに際して、車両に搭載されたモニタテレビの画面に各種装置の操作画面を表示し、操作画面に表示された仮想ボタンを選択して実行することで選択した仮想ボタンに表示された作業内容に基づく作業、例えば、オーディオ装置であれば音量の調節等、空調装置であれば温度調節等を行えるようになっている。
【０００３】
このような制御では、通常、メインの機能選択画面にて操作を行う装置を選択し、選択した装置の機能に基づいた画面を表示させ、更に、表示した画面中の仮想ボタンを所望の作業に応じた仮想ボタンを選択して実行するという階層的な操作となる。
【０００４】
【発明が解決しようとする課題】
しかしながら、このような階層的な操作では、例えば、カーナビゲーション装置の地図画面を表示している状態でオーディオ装置や空調装置を行う場合に、一度、メインの機能選択画面まで戻さなくてはならない。このため、全体的な操作が繁雑となっており、この点で未だ改良の予知があった。
【０００５】
本発明は、上記事実を考慮して、機能切換における操作性が高い画面操作装置を得ることが目的である。
【０００６】
【課題を解決するための手段】
請求項１記載の画面操作装置は、互いに異なる複数の機能の各々に対応して設定された画面のうちの１つが出力手段に表示された状態で切換操作することにより前記出力手段に表示された画面に対応する機能とは異なる他の機能に対応した画面に切り替える画面操作装置であって、
操作面上での操作体の位置を検出する検出手段と、前記複数の機能のうちの１つで且つ前記複数の機能のうちの１つを選択するための機能に対応して設定された第１画面中に、前記第１画面に表示した機能とは異なる他の機能に属する１乃至複数の機能切換部が表示された状態で前記第１画面を前記出力手段に表示させると共に、前記検出手段が検出した前記操作面上での前記操作体の位置が前記機能切換部に対応した場合に当該機能切換部の表示が属する機能に基づいた第２画面を前記出力手段に表示させる制御部と、を備え、更に、前記制御部は、前記第２画面表示状態で前記他の機能に属する１乃至複数の選択部を表示させると共に、前記第２画面切換直後の状態で第２画面表示直前に前記第１画面表示中に選択した前記機能切換部に対応した位置の選択部を選択状態とする。
【０００７】
上記構成の画面操作装置では、互いに異なる複数の機能のうちの１つで且つ上記の複数の機能のうちの１つを選択するための機能とは異なる機能を実行している状態で、この実行している機能に対応した第１画面が制御部によって出力手段に表示される。また、このように第１画面が出力手段に表示された状態では、この第１画面に表示された機能とは異なる機能に属する１乃至複数の機能切換部が制御部によって第１画面中に表示される。この状態で、操作面上での操作体の位置を検出手段が検出すると、制御部により操作面上での操作体の位置に対応した選択部或いは機能切換部が選択される。
【０００８】
ここで、機能切換部を選択すると、選択した機能切換部が属する機能（他の機能）に基づいた第２画面が表示される。
【０００９】
このように、本画面操作装置では、互いに異なる複数の機能のうちの１つが実行されて、この実行中の機能に対応した第１画面が出力手段に表示されていても、機能切換部を選択することで、第１画面に表示されている機能とは異なる他の機能に基づいた第２画面へ切り換えることができるため、他の機能に属する操作を行う際の操作性が高い。
また、上記構成の画面操作装置では、第２画面には他の機能に属する１乃至複数の選択部が制御部によって表示される。ここで、本画面操作装置では、この第２画面に切り換えられた直後の状態で第２画面が表示される直前に第１画面表示中に選択した機能切換部に対応した位置の選択部が選択状態とされる。したがって、第２画面に切り換えた直後に実行指示を行えば、この選択部に対応した作業が実行される。すなわち、本画面操作装置では、この選択部に対応する作業を行う場合には、第２画面に切り換わった後に改めて選択作業を行う必要がない。このため、作業性が向上する。
特に、第２画面切換直後に選択状態となる選択部を、この他の機能に属する選択部のなかで特に使用頻度の高い作業を割り当てることで、より一層作業性が向上する。
【００１１】
なお、当然のことながら、操作面上で第１画面表示中に機能選択部に対応した位置とは異なる位置で検出手段が操作体を検出した場合には、第１画面が基づく特定の機能に属する作業を選択し、或いは、実行する構成としてもよい。
【００１２】
請求項２記載の画面操作装置は、請求項１記載の本発明において、前記制御部は、前記第２画面を前記出力手段に表示させた状態で前記検出手段が前記操作体を検出しなかった場合に、前記第１画面を出力手段に表示させることを特徴としている。
【００１３】
上記構成の画面操作装置では、第２画面が出力手段に表示された状態で操作面から操作体が離間した等に起因して検出手段が操作体を検出しなかった場合には、第２画面に切り換わる前の特定の機能に基づいた第１画面に出力手段の表示が切り換わる。
【００１４】
このため、選択した他の機能が所望の機能でなかった場合や選択した他の機能に属する操作を終了した場合等でも元の画面に戻るための特別な操作が不要となり、より操作性が向上する。
【００１８】
請求項３記載の画面操作装置は、請求項１記載の本発明において、前記制御部は、前記第２画面に切り換えられた直後に選択状態となる前記選択部に対応した表示を前記機能切換部に表示することを特徴としている。
【００１９】
上記構成の画面操作装置では、機能切換部には第２画面に切り換えられた直後に選択状態となる選択部に対応した表示が行われる。このため、第１画面表示中でも、その機能切換部を選択すると共に実行指示を行うことによる作業がわかり、より一層操作性が向上する。
【００２０】
【発明の実施の形態】
＜本実施の形態の構成＞
図１には本発明の一実施の形態に係る画面操作装置としてのセンターコントロールユニット１０の概略的な外観が示されており、図２には本センターコントロールユニット１０の構成がブロック図によって示されている。
【００２１】
これらの図に示されるように、本センターコントロールユニット１０は装置本体１２を備えている。この装置本体１２は全体的に箱形状に形成されており、車両のインストルメントパネルに形成された収容部（図示省略）へ収容される。この収容部に収容された状態で車両室内側に露出する装置本体１２の外壁部１４には開口部１６が形成されており、透明若しくは赤外光の透過が可能に着色された窓１８が嵌め込まれている。この開口部１６を介して装置本体１２の内側には、図２に示される赤外線受光部２０が設けられている。
【００２２】
赤外線受光部２０は、装置本体１２の内部に設けられたＣＰＵ等の制御手段としての制御部２２へ接続されており、受光した赤外線信号に応じた電気信号を制御部２２へ送信している。一方、制御部２２は装置本体１２の内部若しくは装置本体１２の外部に設けられた記憶媒体２４へ接続されており、記憶媒体２４へ記憶された様々なプログラムを読み込んで、それを処理、実行する。
【００２３】
一方、本センターコントロールユニット１０はモニタ手段としてのモニタテレビ２６を備えている。モニタテレビ２６は車両のインストルメントパネル上を含めた所定の設置箇所で運転席等から見えるように設置される。このモニタテレビ２６は、フラットケーブル等の接続手段を介して装置本体１２の制御部２２へ接続されており、制御部２２における処理結果、実行結果を表示できる。
【００２４】
具体的に言うと、例えば、制御部２２が記憶媒体２４からカーナビゲーションプログラムを読み込んだ場合には、図７に示されるように、制御部２２はメイン画面（第１画面）として地図データ等を展開すると共に機能切換ボタン５６、５７、５８をモニタテレビ２６に表示する。
【００２５】
また、制御部２２が記憶媒体２４から空調操作プログラムを読み込んだ場合には、図１０に示されるように車両に搭載された空調装置（図示省略）が有する各種の機能の名称が記載された複数の選択ボタン３２、３４、３６、３８、４０、４２、４４、４６、４８、５０、５２、５４をマトリックス状（本実施の形態では４行３列）に表示する。
【００２６】
さらに、制御部２２が記憶媒体２４からオーディオ操作プログラムを読み込んだ場合には、図１３に示されるように車両に搭載されたオーディオ装置（図示省略）が有する各種の機能の名称が記載された複数の選択ボタン３２〜５４をマトリックス状（本実施の形態では４行３列）に表示する。
【００２７】
また、制御部２２が記憶媒体２４から車両状態確認プログラムを読み込んだ場合には、図１６に示されるように車両に搭載されたこのプログラムが有する各種の機能の名称が記載された複数の選択ボタン３２〜５４をマトリックス状（本実施の形態では４行３列）に表示する。
【００２８】
さらに、図１及び図２に示されるように、本センターコントロールユニット１０は入力手段としてのコントローラ７０を備えている。ここで、図３にはコントローラ７０の平面図が示されており、図４にはコントローラ７０の要部の構成が断面図によって示されている。
【００２９】
図４に示されるように、コントローラ７０は下ケース７２と上ケース７４とにより構成されたケース７６を備えている。下ケース７２は厚さ方向一方の側へ向けて開口した略箱形状に形成されている。これに対し、上ケース７４は下ケース７２とは反対側へ向けて開口した略箱形状で、下ケース７２と上ケース７４とは互いの開口端が向き合った状態で一体的に連結されている。
【００３０】
また、図３及び図４に示されるように、上ケース７４の上底部７８には略矩形状の開口部８０が形成されており、この開口部８０に対応してケース７６にはパネルスイッチ８２を構成する操作面としてのパネル８４が設けられている。パネル８４は外周形状が開口部８０に対応した略矩形平板状に形成されている。
【００３１】
さらに、図４に示されるように、このパネル８４の下方（下ケース７２側）には基板８６が略平行に配置されている。基板８６には表面及び裏面の少なくとも何れか一方にプリント配線等の配線が施されていると共に、ＣＰＵ８８やバッテリー９０、更には、抵抗やコンデンサ等の電気部品が上記の配線により電気的に接続されている。
【００３２】
基板８６は図示しない保持手段によって直接或いは間接的に上ケース７４又は下ケース７２に固定されている。また、基板８６上には圧縮コイルスプリング９２が配置されており、パネル８４を開口部８０側へ付勢した状態で基板８６へ接離移動可能に支持している。さらに、上ケース７４にはストッパ９４が形成されている。ストッパ９４はパネル８４の外周部に係合しており、所定距離以上にパネル８４が基板８６から離間しないように保持している。
【００３３】
また、パネル８４と基板８６との間にはパネル８４と共にパネルスイッチ８２を構成するプッシュスイッチ９６が設けられている。プッシュスイッチ９６は本体９８を備えている。本体９８は図示しない固定接点を備えている。この固定接点は基板８６の配線へ電気的に接続されている。さらに、この本体９８には可動部１００が設けられている。可動部１００は基板８６に対するパネル８４の接離方向と略同方向に本体９８に対して移動可能とされており、基板８６へ接近する方向へ移動することで少なくとも一部が本体９８内へ移動する。また、可動部１００には図示しない可動接点を備えており、可動部１００が基板８６へ接近する方向へ移動した際に本体９８の固定接点へ接触して導通し、基板８６から離間することで固定接点との導通が解除される。
【００３４】
可動部１００の本体９８とは反対側はパネル８４の裏面へ当接している。したがって、パネル８４が圧縮コイルスプリング９２の付勢力に抗して基板８６へ接近する方向へ移動することで可動部１００が基板８６へ接近し、可動部１００の可動接点が本体９８の固定接点に接触する構成である。
【００３５】
さらに、基板８６の外周部近傍の裏面側には、赤外線発光素子１０２が配置されている。赤外線発光素子１０２は上記のＣＰＵ８８やバッテリー９０へ電気的に接続されており、ＣＰＵ８８からの信号に基づいて赤外線信号Ｌを発する。この赤外線発光素子１０２に対応して下ケース７２の側壁１０４には開口部１０６が形成されている。この開口部１０６には透明若しくは赤外線の透過が可能な程度に着色された窓１０８が嵌め込まれており、赤外線発光素子１０２にて発せられた赤外線信号Ｌは窓１０８を透過してケース７６の外部へ出て、上述した装置本体１２の窓１８を透過して赤外線受光部２０に受光される。
【００３６】
一方、図３に示されるように、パネル８４の表面側には検出手段としてのシートスイッチ１１０が載置されている。ここで図５にはシートスイッチ１１０の展開状態での平面図が示されている。この図に示されるように、シートスイッチ１１０は一対の基部１１２、１１４を備えている。これらの基部１１２、１１４は、例えば、絶縁性の合成樹脂材により各々が平面視略矩形状のシート状に形成されており、少なくとも、基部１１４は所定の大きさ以上（例えば、人が指で軽く押圧した程度）の押圧力で弾性変形可能な程度の剛性に設定されている。また、基部１１２は、その幅方向一方（図５の右方）の端部で基部１１４の幅方向他方（図５の左方）の端部と連結されており、基部１１２と基部１１４との連結部１１６を軸線として基部１１２が基部１１４に対して相対的に回動可能とされている。
【００３７】
さらに、基部１１２の表面上には複数本（本実施の形態では４本）のライン端子１２２、１２４、１２６、１２８が形成されている。これらのライン端子１２２〜１２８は各々が基部１１２の幅方向に沿って長手の線状若しくは棒状とされており、基部１１２の長手方向に沿って所定間隔毎に互いに平行に形成されている。
【００３８】
一方、基部１１４の表面上には複数本（本実施の形態では３本）のライン端子１３２、１３４、１３６が形成されている。これらのライン端子１３２〜１３６は各々が基部１１４の長手方向に沿って長手の線状若しくは棒状とされており、基部１１４の幅方向に沿って所定間隔毎に互いに平行に形成されている。
【００３９】
さらに、基部１１２の幅方向他方の端部にはコネクタ部１４０が形成されている。これらのコネクタ部１４０には上述したライン端子１２２〜１２８の各々に対応して複数本（本実施の形態では７本）の接続線１４２が形成されている。各接続線１４２の一方の端部は基部１１２、更には基部１１４の表面上を介して対応するライン端子１２２〜１３６の一端へ電気的に接続されている。
【００４０】
これに対して、各接続線１４２はコネクタ部１４０に機械的に接続された他のコネクタ部のリード線（図示省略）を介して図４に示される基板８６のプリント配線等へ電気的に接続されており、更に、この基板８６のプリント配線等を介して上述したＣＰＵ８８へ電気的に接続されている。
【００４１】
基部１１２と基部１１４とは互いの表面が対向するように連結部１１６にて折り返されており、これにより、図５における基部１１２上で二点鎖線で示されるようにライン端子１３２〜１３６がライン端子１２２〜１２８と略直交し、全体体にライン端子１２２〜１３６が格子状に配置されることになる。この状態でライン端子１２２〜１２８の何れかとライン端子１３２〜１３６の何れかとが互いに接触して導通すると、この導通がＣＰＵ８８に検出されるようになっている。
【００４２】
また、図５に示されるようん、基部１１２の表面上には複数の突起１４４が形成されている。これらの突起１４４は、ライン端子１２２〜１２８の側方で且つライン端子１３２〜１３６が基部１１２の表面と対向した状態でライン端子１３２〜１３６の側方に位置するように形成されており、連結部１１６周りに折り返された状態では基部１１４の表面が基部１１２の表面に対して所定距離離間した状態で基部１１４を保持するようになっている。このため、通常状態ではライン端子１２２〜１２８とライン端子１３２〜１３６とは互いに離間している。
【００４３】
＜本実施の形態の作用、効果＞
（コントローラ７０の作動概略）
次に、本実施の形態の全体的な作用並びに効果の説明に先立ち、コントローラ７０の作動について簡単に説明する。
【００４４】
本実施の形態では、コントローラ７０の平面視（すなわち、図３図示状態）でライン端子１２２〜１２８の何れかと、ライン端子１３２〜１３６の何れかとの交点近傍であるシートスイッチ１１０上のタッチ部１５０、１５２、１５４、１５６、１５８、１６０、１６２、１６４、１６６、１６８、１７０、１７２のうち、例えば、タッチ部１６０に触れてシートスイッチ１１０を押圧すると、タッチ部１６０でシートスイッチ１１０を構成する基部１１４が弾性変形する。これにより、タッチ部１６０近傍を交点とするライン端子１２４とライン端子１３６とは接触して導通するが、タッチ部１６０を除いたタッチ部１５０〜１７２近傍では基部１１４が突起１４４に支持されるためライン端子１２２〜１３６が互いに接触して導通することはない。
【００４５】
このライン端子１２４とライン端子１３６との導通（導通信号）はＣＰＵ８８により検出され、この導通を検出したＣＰＵ８８は赤外線発光素子１０２に対して数種類の赤外線信号Ｌの中からライン端子１２４とライン端子１３６との導通に対応した赤外線信号Ｌを発信（発光）させるべく発光信号を発信する。この発光信号の受信に応じて赤外線発光素子１０２から発せられたライン端子１２４とライン端子１３６との導通の導通に対応する赤外線信号Ｌは、装置本体１２の赤外線受光部２０にて受光され、更に制御部２２は赤外線受光部２０が受けた赤外線信号Ｌに基づく電気信号を受ける。なお、以下、ライン端子１２２〜１２８の何れかとライン端子１３２〜１３６の何れかが導通した際の赤外線信号Ｌに基づいて制御部２２が赤外線受光部２０から受ける電気信号を便宜上「タッチ信号」と称する。
【００４６】
一方、操作者がシートスイッチ１１０の基部１１４の裏面に指で触れた状態でシートスイッチ１１０を介して圧縮コイルスプリング９２の付勢力を上回る押圧力をパネル８４に付与すると、パネル８４が基板８６側へ移動し、これにより、プッシュスイッチ９６の可動部１００の可動接点とプッシュスイッチ９６の本体９８の固定接点とが接触して導通する。可動部１００の可動接点と本体９８の固定接点との導通は固定接点へ電気的に接続されているＣＰＵ８８により検出され、可動部１００の可動接点と本体９８の固定接点との導通をＣＰＵ８８が検出すると、ＣＰＵ８８は赤外線発光素子１０２から可動部１００の可動接点と本体９８の固定接点との導通信号に基づいた赤外線信号Ｌを発光させる。
【００４７】
このようにして赤外線発光素子１０２から発せられた赤外線信号Ｌは装置本体１２の赤外線受光部２０にて受光され、更に制御部２２は赤外線受光部２０が受けた赤外線信号Ｌに対応した電気信号を受ける。なお、以下、プッシュスイッチ９６における可動部１００の可動接点と本体９８の固定接点とが導通した際の赤外線信号Ｌに基づいて制御部２２が赤外線受光部２０から受ける電気信号を便宜上「クリック信号」と称する。
【００４８】
（画面切換時における作用、効果）
次に、本センターコントロールユニット１０における画面切替に関する作用並びに効果について、図６のフローチャートに基づいて説明する。
【００４９】
先ず、図６に示されるように、ステップ２００で制御部２２が記憶媒体２４からカーナビゲーションプログラムを読み込んでカーナビゲーションプログラムが起動されると、ステップ２０２で初期設定処理が行われる。この初期設定処理ではフラグＦ１に０が代入されてリセットされると共に後述するタイマー（タイマープログラム）における経過時間Ｔに０が代入されてリセットされる。また、この状態では、特許請求の範囲で言う「特定の機能」に対応するカーナビゲーションプログラムが並行して実行され、モニタテレビ２６にはカーナビゲーションプログラムに基づいた第１画面としての地図画面が表示されると共に、機能切換ボタン５６〜５８がシートスイッチ１１０上のタッチ部１５０〜１５４に対応した位置に表示される。
【００５０】
次いで、ステップ２０４では赤外線受光部２０がコントローラ７０の赤外線発光素子１０２から赤外線信号Ｌを受信したか否かの判定、すなわち、赤外線受光部２０からの電気信号を制御部２２が受信したか否かの判定が行われる。ここで、例えば、上述したシートスイッチ１１０に操作者の指が触れておらず、このため、ライン端子１２２〜１３６が何れも導通していなければ、赤外線受光部２０がタッチ信号を発することはない。しかも、シートスイッチ１１０に操作者の指が触れていなければパネル８４に押圧力が付与されることもないのでプッシュスイッチ９６の本体９８の固定接点と可動部１００の可動接点とが導通することはなく、赤外線受光部２０がクリック信号を発することはない。したがって、この状態では基本的に制御部２２が赤外線信号Ｌに基づいた電気信号を制御部２２が受信することはないため、ステップ２２６へ進み、フラグＦ１に１が代入されているか否かが判定されるが、本カーナビゲーションプログラムがステップ２００から開始された直後であれば、フラグＦ１はリセットされたままの状態であるため、ステップ２０４へ戻り、言わば、単なる信号待機状態となる。
【００５１】
これに対し、例えば、操作者の指が上述したタッチ部１５６に触れることでライン端子１２４とライン端子１３２とが導通し、この状態でのタッチ信号を制御部２２が赤外線受光部２０から受けると、ステップ２０４からステップ２０６へ進んで赤外線受光部２０からの電気信号が処理される。次いで、ステップ２０８ではステップ２０６で処理した電気信号がタッチ信号であるか否かが判定される。この場合、受信した信号はタッチ信号であるため、ステップ２０８からステップ２０９へと進み、ステップ２０９でタッチ信号が機能切換信号であるか否かが判定される。
【００５２】
ここで、機能切換ボタン５６〜５８の各々は、オーディオ操作プログラム、空調操作プログラム、及び車両状態確認プログラムの各々のプロフラム起動中における操作選択画面への移行機能が割り当てられており、これらの機能切換ボタン５６〜５８に対応したタッチ信号、すなわち、この状態におけるタッチ部１５０〜１５４の何れかを触れた場合に対応したタッチ信号を制御部２２が受信した場合には、このときのタッチ信号を制御部２２は機能切換信号と認識してステップ２２４へ進むが、図７に示される画面をモニタテレビ２６が表示している状態で機能切換ボタン５６〜５８に対応したタッチ信号（すなわち、機能切換信号）以外のタッチ信号を受信したと判定した場合には、そのままステップ２２０へ進み、タッチ信号の処理がなされる。
【００５３】
例えば、図７に示される状態でタッチ部１５６に対応したタッチ信号を制御部２２が受信すると、図８に示されるように、放射状に各々が異なる方向へ向いた複数の矢印マーク６１〜６８が地図画面上に表示されると共に、これらの矢印マーク６１〜６８の下方に３つの選択ボタン３８、４６、５４が表示される。
【００５４】
矢印マーク６１〜６８はその中心に表示された丸印を含めて概ね３列３行に表示されており、タッチ部１５０〜１６６に対応する。また、選択ボタン３８、４６、５４は左側から（すなわち、選択ボタン５４から）タッチ部１６８〜１７２に対応する。
【００５５】
また、これらの矢印マーク６１〜６８及び選択ボタン３８、４６、５４が表示された状態では、その直前に制御部２２が受信したタッチ信号がタッチ部１５６にタッチ信号に対応しているため、このタッチ部１５６に対応した矢印マーク６５が反転表示され、矢印マーク６５が選択状態であることが示される。
【００５６】
以上の処理（この状態でのタッチ信号処理）が終了するとステップ２２４でフラグＦ１に１が代入されてステップ２０４へ戻る。
【００５７】
以降、クリック信号並びに他のタッチ信号を受信しなければ、ステップ２１８からそのままステップ２０４へ戻され、他のタッチ信号若しくはクリック信号の待機状態となる。
【００５８】
この状態で、シートスイッチ１１０及びパネル８４を介してプッシュスイッチ９６の可動部１００を押圧することで、制御部２２がクリック信号を受信すると、ステップ２０８からステップ２２８へ進み、選択状態となっている矢印マーク６５に基づいて矢印マーク６５の向きとは反対方向へ地図画面を構成する地図データを全体的に移動させ、見かけ上、モニタテレビ２６の画面を表示された地図画面に対して矢印マーク６５と略同一方向に移動させる。
【００５９】
これに対して、シートスイッチ１１０上で、例えば、タッチ部１７０へ指がスライドし、タッチ部１７０に対応したタッチ信号を制御部２２が設定時間ＴＳを越えて受信すると、ステップ２２０で図９に示されるように、矢印マーク６５の反転表示が解除されると共に、タッチ部１７０に対応した選択ボタン４６が反転表示されて選択ボタン４６が選択状態であることが示される。
【００６０】
この状態で、シートスイッチ１１０及びパネル８４を介してプッシュスイッチ９６の可動部１００を押圧することで、制御部２２がクリック信号を受信すると、ステップ２０８からステップ２２８へ進み、選択状態となっている選択ボタン４６の表示内容に基づいた処理（本実施の形態では現在地を中心とする地図画面表示）が行われる。
【００６１】
一方、ステップ２２２でのタッチ信号処理やステップ２２８での信号に基づいた処理が行われた後に、例えば、シートスイッチ１１０から指が離間する等でタッチ信号やクリック信号が制御部２２に受信されなくなると、ステップ２０４からステップ２２６へ進む。上述したように、ステップ２２６ではフラグＦ１に１が代入されているか否かが判定されるが、一度ステップ２２０でタッチ信号処理が行われた後には、ステップ２２２でフラグＦ１に１が代入されているため、この状態では、ステップ２２６からステップ２０２へ戻され、再び、図７に示されるような初期状態となる。
【００６２】
ところで、当初の初期状態でタッチ部１５０〜１５４の何れかに指が触れ、このタッチ部１５０〜１５４の何れかに対応したタッチ信号を制御部２２が受信した場合には、ステップ２０９にて機能切換信号であると判定されてステップ２１０へ進み、ステップ２１０でこの機能切換信号がその直前に受信した信号と同一の信号であるか否かが判定される。
【００６３】
本カーナビゲーションプログラムがステップ２００から開始された直後であれば、それ以前に受信した信号はないため、ステップ２１２へと進んでタイマー（タイマープログラム）の経過時間Ｔがリセットされ、ステップ２１４でタイマー（タイマープログラム）が起動する。
【００６４】
次いで、ステップ２１６で経過時間Ｔが予め設定されていた設定時間ＴＳを越えたか否かが判定される。当初の初期状態であれば、この時点では経過時間Ｔが設定時間ＴＳを越えていることはないため、ステップ２０４へ戻る。
【００６５】
一方、設定時間ＴＳを越えてなお同一の機能切換信号を受信した場合には、ステップ２１６からステップ２２４へ進み、機能切換処理がなされる。
【００６６】
このときの機能切換信号（タッチ信号）が、仮に、タッチ部１５０に対応した機能切換信号であれば、ステップ２２４で特許請求の範囲で言う他の機能としての空調操作プログラムが実行され、モニタテレビ２６には特許請求の範囲で言う第２画面としての複数の選択ボタン３２〜５４を含む空調操作画面が表示される。これらの選択ボタン３２〜５４は全体的に４行３列のマトリックス状に並べられ、各々がタッチ部１５０〜１７２に対応する。
【００６７】
また、この空調操作画面が表示された状態では、その直前に制御部２２が受信したタッチ信号がタッチ部１５０に対応しているため、図１１に示されるように、このタッチ部１５０に対応した選択部４８が反転表示され、選択部４８が選択状態であることが示される。
【００６８】
以降、クリック信号並びに他のタッチ信号を受信しなければ、ステップ２１８からそのままステップ２０４へ戻され、他のタッチ信号若しくはクリック信号の待機状態となる。
【００６９】
この状態で、シートスイッチ１１０及びパネル８４を介してプッシュスイッチ９６の可動部１００を押圧することで、制御部２２がクリック信号を受信すると、ステップ２０８からステップ２２８へ進み、選択状態となっている選択ボタン４８に表示内容に基づいた処理（本実施の形態では設定温度の上昇）が行われる。
【００７０】
これに対して、シートスイッチ１１０上で、例えば、タッチ部１５４へ指がスライドし、タッチ部１５４に対応した機能切換信号（タッチ信号）を制御部２２が設定時間ＴＳを越えて受信すると、ステップ２２０で図１２に示されるように、選択ボタン４８の反転表示が解除されると共に、タッチ部１５４に対応した選択ボタン３２が反転表示されて選択ボタン３２が選択状態であることが示される。
【００７１】
この状態で、シートスイッチ１１０及びパネル８４を介してプッシュスイッチ９６の可動部１００を押圧することで、制御部２２がクリック信号を受信すると、ステップ２０８からステップ２２８へ進み、選択状態となっている選択ボタン３２の表示内容に基づいた処理（本実施の形態では風速等の自動調整）が行われる。
【００７２】
一方、ステップ２２２でのタッチ信号処理やステップ２２８での信号に基づいた処理が行われた後に、例えば、シートスイッチ１１０から指が離間する等でタッチ信号やクリック信号が制御部２２に受信されなくなると、ステップ２０４からステップ２２６へ進む。上述したように、ステップ２２６ではフラグＦ１に１が代入されているか否かが判定されるが、一度ステップ２２０でタッチ信号処理が行われた後には、ステップ２２２でフラグＦ１に１が代入されているため、この状態では、ステップ２２６からステップ２０２へ戻され、再び、図７に示されるような初期状態となる。
【００７３】
これに対して、当初の初期状態で制御部２２がタッチ部１５２に対応した機能切換信号（タッチ信号）を受信した場合には、ステップ２２４で特許請求の範囲で言う他の機能としてのオーディオ操作プログラムが実行され、モニタテレビ２６には特許請求の範囲で言う第２画面としての複数の選択ボタン３２〜５４を含むオーディオ操作画面が表示される。これらの選択ボタン３２〜５４は全体的に４行３列のマトリックス状に並べられ、各々がタッチ部１５０〜１７２に対応する。
【００７４】
また、このオーディオ操作画面が表示された状態では、その直前に制御部２２が受信したタッチ信号がタッチ部１５２に対応しているため、図１４に示されるように、このタッチ部１５２に対応した選択ボタン４０が反転表示され、選択ボタン４０が選択状態であることが示される。
【００７５】
以降、クリック信号並びに他のタッチ信号を受信しなければ、ステップ２１８からそのままステップ２０４へ戻され、他のタッチ信号若しくはクリック信号の待機状態となる。
【００７６】
この状態で、シートスイッチ１１０及びパネル８４を介してプッシュスイッチ９６の可動部１００を押圧することで、制御部２２がクリック信号を受信すると、ステップ２０８からステップ２２８へ進み、選択状態となっている選択ボタン４０に表示内容に基づいた処理（本実施の形態ではＦＭチャンネルの上昇変更）が行われる。
【００７７】
これに対して、シートスイッチ１１０上で、例えば、タッチ部１６４へ指がスライドし、タッチ部１６４に対応したタッチ信号を制御部２２が設定時間ＴＳを越えて受信すると、ステップ２２０で図１５に示されるように、選択ボタン４０の反転表示が解除されると共に、タッチ部１５４に対応した選択ボタン４４が反転表示されて選択ボタン４４が選択状態であることが示される。
【００７８】
この状態で、シートスイッチ１１０及びパネル８４を介してプッシュスイッチ９６の可動部１００を押圧することで、制御部２２がクリック信号を受信すると、ステップ２０８からステップ２２８へ進み、選択状態となっている選択ボタン４４の表示内容に基づいた処理（本実施の形態ではコンパクト・ディスク演奏開始モード）が行われる。
【００７９】
一方、ステップ２２２でのタッチ信号処理やステップ２２８での信号に基づいた処理が行われた後に、例えば、シートスイッチ１１０から指が離間する等でタッチ信号やクリック信号が制御部２２に受信されなくなると、ステップ２０４からステップ２２６へ進む。上述したように、ステップ２２６ではフラグＦ１に１が代入されているか否かが判定されるが、一度ステップ２２０でタッチ信号処理が行われた後には、ステップ２２２でフラグＦ１に１が代入されているため、この状態では、ステップ２２６からステップ２０２へ戻され、再び、図７に示されるような初期状態となる。
【００８０】
また、当初の初期状態で制御部２２がタッチ部１５４対応した機能切換信号（タッチ信号）を受信した場合には、ステップ２２４で特許請求の範囲で言う他の機能としての車両状態確認プログラムが実行され、モニタテレビ２６には特許請求の範囲で言う第２画面としての複数の選択ボタン３２〜５４を含む車両状態確認画面が表示される。これらの選択ボタン３２〜５４は全体的に４行３列のマトリックス状に並べられ、各々がタッチ部１５０〜１７２に対応する。
【００８１】
また、この車両状態確認画面が表示された状態では、その直前に制御部２２が受信したタッチ信号がタッチ部１５４に対応しているため、図１７に示されるように、このタッチ部１５４に対応した選択ボタン３２が反転表示され、選択ボタン３２が選択状態であることが示される。
【００８２】
以降、クリック信号並びに他のタッチ信号を受信しなければ、ステップ２１８からそのままステップ２０４へ戻され、他のタッチ信号若しくはクリック信号の待機状態となる。
【００８３】
この状態で、シートスイッチ１１０及びパネル８４を介してプッシュスイッチ９６の可動部１００を押圧することで、制御部２２がクリック信号を受信すると、ステップ２０８からステップ２２８へ進み、選択状態となっている選択ボタン３２に表示内容に基づいた処理（本実施の形態では平均燃費表示）が行われる。
【００８４】
これに対して、シートスイッチ１１０上で、例えば、タッチ部１７０へ指がスライドし、タッチ部１７０に対応したタッチ信号を制御部２２が設定時間ＴＳを越えて受信すると、ステップ２２０で図１８に示されるように、選択ボタン３２の反転表示が解除されると共に、タッチ部１７０に対応した選択ボタン４６が反転表示されて選択ボタン４６が選択状態であることが示される。
【００８５】
この状態で、シートスイッチ１１０及びパネル８４を介してプッシュスイッチ９６の可動部１００を押圧することで、制御部２２がクリック信号を受信すると、ステップ２０８からステップ２２８へ進み、選択状態となっている選択ボタン４４の表示内容に基づいた処理（本実施の形態では外気温表示）が行われる。
【００８６】
一方、ステップ２２２でのタッチ信号処理やステップ２２８での信号に基づいた処理が行われた後に、例えば、シートスイッチ１１０から指が離間する等でタッチ信号やクリック信号が制御部２２に受信されなくなると、ステップ２０４からステップ２２６へ進む。上述したように、ステップ２２６ではフラグＦ１に１が代入されているか否かが判定されるが、一度ステップ２２０でタッチ信号処理が行われた後には、ステップ２２２でフラグＦ１に１が代入されているため、この状態では、ステップ２２６からステップ２０２へ戻され、再び、図７に示されるような初期状態となる。
【００８７】
以上のように、本実施の形態では、図７に示されるような地図表示画面を表示していても、この地図表示画面中に機能切換ボタン５６〜５８が表示され、更に、これらの機能切換ボタン５６〜５８の何れかに対応したタッチ信号を制御部２２が受信することで、空調操作、オーディオ操作、及び車両状態確認の何れかのプログラムに対応した画面に切り換えることができるため、これらの空調操作、オーディオ操作、及び車両状態確認等に属する各操作（作業）の操作性を向上できる。
【００８８】
また、本実施の形態では、空調操作、オーディオ操作、及び車両状態確認の何れかのプログラムに対応した画面に切り換わった状態でシートスイッチ１１０から指を離間させて制御部２２が信号を受信しない状態とすることにより、図７に示される初期の画面に戻るため、この初期の画面に戻すための特別な操作が不要である。したがって、この意味でも操作性が向上する。
【００８９】
さらに、本実施の形態では、機能切換ボタン５６〜５８には対応する画面切換直後に反転表示される選択ボタン４８、４０、３２と同様若しくはこれに準ずる表示がなされるため、画面切換直後に制御部２２がクリック信号を受信した場合にどのような操作が行われるかを画面切換以前の状態で認識することができる。しかも、この機能切換ボタン５６〜５８に表示された操作内容であれば画面切換後に改めて選択ボタン３２〜５４を選択する必要がないため、この意味でも作業性が向上する。
【００９０】
なお、本実施の形態では特に設定を行わなかったが、機能切換ボタン５６〜５８に各プログラム実行時において最も使用頻度の高い操作内容を表示すると共に、画面切換後に該当する選択ボタン４８、４０、３２にこの使用頻度の高い操作内容を割り当てることで、更なる操作性の向上が可能である。
【００９１】
また、本実施の形態では、機能切換ボタン５６〜５８における表示内容が基本的に一定であったが、機能切換ボタン５６〜５８の表示内容が適宜に変更されてもよい。
【００９２】
すなわち、例えば、オーディオ操作プログラムの実行が図１５に示されるようなコンパクト・ディスクの演奏を選択した状態でメイン画面に戻った場合には、その後に機能選択ボタン５７に図１５において選択ボタン４４に表示されている「ＣＤ」の表示を、図１９に示されるように機能切換ボタン５７で表示させる構成とし、この機能切換ボタン５７に対応したタッチ部１５２を指で触れ、更に、所定時間以内（上述した経過時間Ｔが設定時間ＴＳを越える前）にパネル８４を押圧した場合（すなわち、クリック信号を発信した場合）に、即座に選択ボタン４４を選択した場合の機能、すなわち、コンパクト・ディスクの演奏を行うようにしてもよい。
【００９３】
このような構成とした場合には、選択ボタン３２〜５４を選択しなくても前回利用した機能を即座に選択できるため、階層操作並びに選択操作の低減を図ることができ、操作性を向上させることが可能である。
【００９４】
【発明の効果】
以上説明したように、本発明は、機能切換における操作性を飛躍的に向上させることができる。
【図面の簡単な説明】
【図１】本発明の一実施の形態に係る画面操作装置の概略的な外観を示す斜視図である。
【図２】本発明の一実施の形態に係る画面操作装置の概略的な構成を示すブロック図である。
【図３】本発明の一実施の形態に係る画面操作装置の検出手段を備えたコントローラの平面図である。
【図４】図３の４−４線に沿ったコントローラの要部を示す断面図である。
【図５】検出手段の展開状態における平面図である。
【図６】本発明の一実施の形態に係る画面操作装置の制御の流れを示すフローチャートである。
【図７】第１画面としての地図表示画面の画面例である。
【図８】機能切換部以外の部位を選択した場合の地図表示画面の例である。
【図９】機能切換部以外の部位を選択した後に選択部の選択した状態での地図表示画面の例である。
【図１０】第２画面としての空調操作画面の画面例である。
【図１１】第１画面で選択した機能切換部に対応した選択部が反転した状態での空調操作画面の画面例である。
【図１２】他の選択部を選択した状態での空調操作画面の画面例である。
【図１３】第２画面としてのオーディオ操作画面の画面例である。
【図１４】第１画面で選択した機能切換部に対応した選択部が反転した状態でのオーディオ操作画面の画面例である。
【図１５】他の選択部を選択した状態でのオーディオ操作画面の画面例である。
【図１６】第２画面としての車両状態確認画面の画面例である。
【図１７】第１画面で選択した機能切換部に対応した選択部が反転した状態での車両状態確認画面の画面例である。
【図１８】他の選択部を選択した状態での車両状態確認画面の画面例である。
【図１９】本実施の形態の変形例を示す図７に対応した画面例である。
【符号の説明】
１０    センターコントロールユニット（画面操作装置）
２２    制御部（制御手段）
２６    モニタテレビ（出力手段）
３２    選択ボタン（選択部）
３４    選択ボタン（選択部）
３６    選択ボタン（選択部）
３８    選択ボタン（選択部）
４０    選択ボタン（選択部）
４２    選択ボタン（選択部）
４４    選択ボタン（選択部）
４６    選択ボタン（選択部）
４８    選択ボタン（選択部）
５０    選択ボタン（選択部）
５２    選択ボタン（選択部）
５４    選択ボタン（選択部）
５６    機能切換ボタン（機能切換部）
５７    機能切換ボタン（機能切換部）
５８    機能切換ボタン（機能切換部）
１１０    シートスイッチ（検出手段）
【図１】
0004627592.tif 000002
【図２】
0004627592.tif 000003
【図３】
0004627592.tif 000004
【図４】
0004627592.tif 000005
【図５】
0004627592.tif 000006
【図６】
0004627592.tif 000007
【図７】
0004627592.tif 000008
【図８】
0004627592.tif 000009
【図９】
0004627592.tif 000010
【図１０】
0004627592.tif 000011
【図１１】
0004627592.tif 000012
【図１２】
0004627592.tif 000013
【図１３】
0004627592.tif 000014
【図１４】
0004627592.tif 000015
【図１５】
0004627592.tif 000016
【図１６】
0004627592.tif 000017
【図１７】
0004627592.tif 000018
【図１８】
0004627592.tif 000019
【図１９】
0004627592.tif 000020